(57)【特許請求の範囲】
【請求項１】
車いすの利用者の膝が下方に入る高さを有する第１天板と、
前記第１天板よりも低い位置に配置される天板であり、前記第１天板を挟んで前記利用者の反対側に配される卓上型飲食物搬送装置を下方から支持する支持面を天面に形成する第２天板と、
前記第２天板のうち前記第１天板に覆われる部分に形成される切り欠き部であり、前記第２天板を前記利用者の着座位置側から前記利用者の膝および車いすの一部が入る大きさに切り欠く切り欠き部と、を備える
卓上型飲食物搬送装置用テーブル。
【請求項２】
前記第１天板は、標準的なテーブルの床からの高さに配置される、
請求項１に記載の卓上型飲食物搬送装置用テーブル。
【請求項３】
前記第２天板は、前記第１天板よりも前記卓上型飲食物搬送装置の厚み分だけ低い高さに配置される、
請求項１または２に記載の卓上型飲食物搬送装置用テーブル。
【発明の詳細な説明】
【技術分野】
【０００１】
本発明は、卓上型飲食物搬送装置用テーブルに関する。
【背景技術】
【０００２】
近年、飲食店においては、飲食物が循環する搬送装置を使った飲食物の提供が行なわれている（例えば、特許文献１を参照）。
【先行技術文献】
【特許文献】
【０００３】
【特許文献１】特開２００３−１８９９９４号公報
【発明の概要】
【発明が解決しようとする課題】
【０００４】
近年、公共交通機関にスロープやエレベータが設置されるなど、車いすの利用者に配慮した様々な対策が施されている。また、商品の多様化に伴い、車いすの利用者を想定した各種の医療機器や介護機器が流通している。しかし、例えば、回転寿司店の寿司コンベアのように、車いすを必要としない利用客を想定した設計の飲食物搬送装置が店内に据え付けられた店舗の場合、車いすの利用者は、飲食物搬送装置によって搬送される飲食物を自らの手で取りながら飲食を楽しむことが難しい。
【０００５】
そこで、例えば、可搬型の卓上型飲食物搬送装置を用意し、車いすの利用者が居る施設や住居のテーブルに置いて飲食を楽しんでもらうことが考えられる。しかしながら、卓上型飲食物搬送装置には、クレセントチェーンやベルトコンベアといった駆動装置類が不可避的に備わるため、薄型化が難しい。よって、車いすの利用者が利用できる高さのテーブルにこのような卓上型飲食物搬送装置を置くと、テーブル上の少々高い位置にある飲食物を、車いすから立ち上がることが容易でない利用者が手を伸ばして取ることになり、飲食の楽しみを阻害する。
【０００６】
そこで、本願は、卓上型飲食物搬送装置によって搬送される飲食物を、車いすの利用者が手に取りやすい卓上型飲食物搬送装置用テーブルを開示する。
【課題を解決するための手段】
【０００７】
上記課題を解決するため、本発明は、車いすの利用者の膝が下方に入る高さを有する第１天板よりも低い位置に配置される第２天板で卓上型飲食物搬送装置を支持すると共に、当該第２天板のうち第１天板に覆われる部分に車いすの利用者の膝および車いすの一部が入る大きさの切り欠き部を設けることにした。
【０００８】
詳細には、卓上型飲食物搬送装置用テーブルであって、車いすの利用者の膝が下方に入る高さを有する第１天板と、前記第１天板よりも低い位置に配置される天板であり、前記第１天板を挟んで前記利用者の反対側に配される卓上型飲食物搬送装置を下方から支持する支持面を天面に形成する第２天板と、前記第２天板のうち前記第１天板に覆われる部分に形成される切り欠き部であり、前記第２天板を前記利用者の着座位置側から前記利用者の膝および車いすの一部が入る大きさに切り欠く切り欠き部と、を備える。
【０００９】
上記の卓上型飲食物搬送装置用テーブルであれば、車いすの利用者は、膝や車いすを第２天板に干渉させることなく、第１天板の縁に体を寄せることができる。そして、卓上型飲食物搬送装置が駆動装置類を内蔵していて、ある程度の厚みを有していても、上記の卓
上型飲食物搬送装置用テーブルを使えば、車いすの利用者は、卓上型飲食物搬送装置によって循環搬送される飲食物へ容易に手を伸ばすことができる。そして、車いすの利用者は、卓上型飲食物搬送装置によって搬送される飲食物を自らの手で取りながら飲食を楽しむことができる。
【００１０】
なお、第１天板は、標準的なテーブルの床からの高さに配置されていてもよい。第１天板が標準的なテーブルの床からの高さに配置される卓上型飲食物搬送装置用テーブルを使えば、車いすの利用者は、卓上型飲食物搬送装置から自らの手で取った飲食物を第１天板に載せて飲食を楽しむことができる。
【００１１】
また、第２天板は、第１天板よりも卓上型飲食物搬送装置の厚み分だけ低い高さに配置されてもよい。第２天板が、第１天板よりも卓上型飲食物搬送装置の厚み分だけ低い高さに配置される卓上型飲食物搬送装置用テーブルを使えば、卓上型飲食物搬送装置によって循環搬送される飲食物が第１天板と概ね同じような高さに位置することになるので、車いすの利用者は、卓上型飲食物搬送装置によって循環搬送される飲食物へ容易に手を伸ばすことができ、飲食物を自らの手で取りながら飲食を楽しむことができる。
【発明の効果】
【００１２】
本発明に係る卓上型飲食物搬送装置用テーブルであれば、卓上型飲食物搬送装置によって搬送される飲食物を、車いすの利用者が手に取りやすい。
【図面の簡単な説明】
【００１３】
【図１】図１は、本発明の実施形態に係る卓上型飲食物搬送装置用テーブルを示した斜視図である。
【図２】図２は、卓上型飲食物搬送装置用テーブルの組立図である。
【図３】図３は、車いすの利用者が卓上型飲食物搬送装置用テーブルを利用している状態を示した図である。
【図４】図４は、車いすの利用者と第１天板の切り欠き部との位置関係を示した図である。
【図５】図５は、卓上型飲食物搬送装置用テーブルの利用方法の一例を示した第１の図である。
【図６】図６は、卓上型飲食物搬送装置用テーブルの利用方法の一例を示した第２の図である。
【発明を実施するための形態】
【００１４】
以下、本願発明の実施形態について説明する。以下に示す実施形態は、本願発明の一態様であり、本願発明の技術的範囲を限定するものではない。下記に示す各実施形態や変形例は、例えば、寿司等の飲食物を皿に載せて提供する場合に好適である。
【００１５】
図１は、本発明の実施形態に係る卓上型飲食物搬送装置用テーブルを示した斜視図である。卓上型飲食物搬送装置用テーブル１は、車いすの利用者の飲食に好適なテーブルであり、図１に示すように、２つの天板で２段状の天面を形成している。すなわち、卓上型飲食物搬送装置用テーブル１は、第１天板２と、第１天板２よりも低い位置に配置される第２天板３と備えている。第１天板２には、下方へ向けて突設される４つの第１脚４が設けられている。第２天板３にも第１天板２と同様、下方へ向けて突設される４つの第２脚５が設けられている。
【００１６】
図２は、卓上型飲食物搬送装置用テーブル１の組立図である。卓上型飲食物搬送装置用テーブル１は、第２天板３および第２脚５を備えた第２テーブル３Ｔに、第１天板２および第１脚４を備えた第１テーブル２Ｔを載せた状態で用いられる。第２天板３には、第１
テーブル２Ｔの第１脚４の下端に設けられる図示しない突起が嵌る嵌合孔６が、各第１脚４に対応する位置に設けられている。よって、第１テーブル２Ｔに横方向の力が作用しても、第１テーブル２Ｔが第２テーブル３Ｔから落ちることは無い。なお、図２に示される様に、第２天板３には、車いすの利用者の膝や車いすの一部を入れるための切り欠き部７が設けられている。
【００１７】
図３は、車いすの利用者が卓上型飲食物搬送装置用テーブル１を利用している状態を示した図である。第１天板２は、車いすの利用者８の膝が下方に入る高さを有している。また、第１天板２よりも低い位置に配置される第２天板３は、第１天板２を挟んで利用者８の反対側に配される卓上型飲食物搬送装置９を下方から支持する支持面を天面に形成する天板であり、第１天板２よりも卓上型飲食物搬送装置９の厚み分だけ低い高さに設定されている。第１天板２および第２天板３の高さは、第１脚４および第２脚５の長さによって決定される。よって、例えば、第１脚４の長さは、卓上型飲食物搬送装置９の厚みと同等の長さになるように製作される。また、例えば、第２脚５の長さは、第１天板２の床からの高さから、第１脚４の長さや第１天板２および第２天板３の厚みを差し引いた値となるように設定される。第１天板２の床からの高さは、例えば、標準的なテーブルの床からの高さである７０ｃｍ前後に設定される。
【００１８】
図４は、車いすの利用者８と第１天板２の切り欠き部７との位置関係を示した図である。第２天板３に設けられている切り欠き部７は、車いすの利用者８の膝および車いすの一部が入る大きさを有している。よって、車いすの利用者８は、膝や車いすを第２天板３に干渉させることなく、第１天板２の縁に体を寄せることができる。
【００１９】
図５は、卓上型飲食物搬送装置用テーブル１の利用方法の一例を示した第１の図である。また、図６は、卓上型飲食物搬送装置用テーブル１の利用方法の一例を示した第２の図である。例えば、卓上型飲食物搬送装置用テーブル１に載せる卓上型飲食物搬送装置９の長さが、卓上型飲食物搬送装置用テーブル１を２つ必要とする長さの場合、卓上型飲食物搬送装置９を２台並べた後に卓上型飲食物搬送装置９を第２天板３へ載せる。
【００２０】
卓上型飲食物搬送装置９は、回転寿司店などに設置されて寿司皿を循環搬送する飲食物循環搬送装置の簡易型装置であり、例えば、介護施設で介護を受ける高齢者や、屋内外で催されるイベントやパーティの来場者等を楽しませることができる可搬型の装置である。卓上型飲食物搬送装置９は、寿司皿１０が周回する搬送路を形成するクレセントチェーン１１の他、クレセントチェーン１１を駆動するための電動モータ等の駆動機器類が筐体１２に内蔵されている。卓上型飲食物搬送装置９は、例えば、持ち運びが容易なように複数に分割可能な構造であってもよいし、或いは、分割不能な単体の構造であってもよい。
【００２１】
卓上型飲食物搬送装置９が駆動装置類を内蔵していて、ある程度の厚みを有していても、上記の卓上型飲食物搬送装置用テーブル１を使えば、標準的なテーブルと同じ高さで寿司皿１０を循環搬送させることができる。よって、車いすの利用者８は、卓上型飲食物搬送装置９のクレセントチェーン１１によって循環搬送される寿司皿１０へ容易に手を伸ばすことができる。そして、車いすの利用者８は、卓上型飲食物搬送装置９によって搬送される飲食物を自らの手で取りながら飲食を楽しむことができる。
【００２２】
なお、上記実施形態では、一人の利用者８に対応する横幅の卓上型飲食物搬送装置用テーブル１が図示されていた。しかし、本願で開示する卓上型飲食物搬送装置用テーブルは、このような形態に限定されるものではない。例えば、上記の卓上型飲食物搬送装置用テーブル１を、複数の利用者８に対応する複数の切り欠き部７を１枚の第１天板２に複数設けたものに変形してもよい。
【００２３】
また、上記実施形態では、２つの卓上型飲食物搬送装置用テーブル１に１つの卓上型飲食物搬送装置９が載っていたが、１つの卓上型飲食物搬送装置用テーブル１に１つの卓上型飲食物搬送装置９が載るように変形してもよいし、３つ以上の卓上型飲食物搬送装置用テーブル１に１つの卓上型飲食物搬送装置９が載るように変形してもよい。
【００２４】
また、上記の卓上型飲食物搬送装置用テーブル１には、車いすの利用者８が引き寄せやすいように手すりが設けられていてもよい。卓上型飲食物搬送装置用テーブル１に手すりが設けられていれば、車いすの利用者８が手すりを掴んで容易に移動することができる。
【符号の説明】
【００２５】
１・・卓上型飲食物搬送装置用テーブル
２・・第１天板
２Ｔ・・第１テーブル
３・・第２天板
３Ｔ・・第２テーブル
４・・第１脚
５・・第２脚
６・・嵌合孔
７・・切り欠き部
８・・利用者
９・・卓上型飲食物搬送装置
１０・・寿司皿
１１・・クレセントチェーン
１２・・筐体
【図１】
0006551972.tif 000002
【図２】
0006551972.tif 000003
【図３】
0006551972.tif 000004
【図４】
0006551972.tif 000005
【図５】
0006551972.tif 000006
【図６】
0006551972.tif 000007